Podtech/llm-jp-corpus-v4-ja_patent huggingface dataset:
(57)【要約】      （修正有）【課題】ハイネック本体にヘアバンドを一体化させ、容易に脱ぎ着及び取り外しの出来る優れた防寒用品を提供する。【解決手段】ハイネック本体１にヘアバンド２を接合一体化し、耳当ての役割も果たす事で有り、素材によりファッション性と高い安全性を持ち、小児から高齢者の防寒及びその用途は主婦の買物から介護、スポーツ全般迄、被り脱ぎが容易な用品で寒期に就る実用効果は非常に大きいグッズと考える。【選択図】図３
0003145569.tif 000002
【実用新案登録請求の範囲】
【請求項１】
ハイネックの襟とヘアバンドを一体化し、ハイネックを一体化し、ハイネック、耳当て、ヘアバンドの三役を総合一体化させた物
【請求項２】
ハイネックの襟とヘアバンドを一体化した形態は請求項１と同様とするものであるが、請求項２については首の後方（後頭部下）や、真後ろに、複数個のボタン等を付けて、ハイネック部の取り外しを容易せしめるものとする
（又、ボタンを使用する事でハイネック部からヘアバンド部を容易に着脱切り離す事も可能とする．）
【考案の詳細な説明】
【技術分野】
【０００１】本考案は独立したハイネックの部分にヘアバンドを一体化させたもので、脱着、取り外しの簡素化を実現
【背景技術】
【０００２】ヘアバンド、耳当て、セーター等のハイネックの部分の一体化により、被る脱ぐの簡素化を実現、又、首の真後方のボタンにより、髪型を崩さず開閉も容易にする
【考案が解決しようとする課題】
【０００３】従来ヘアバンド、耳当ての二点が複合した物は有ったが、ハイネックの首当てと三点を総合一体化した
【課題を解決する為の手段】
【０００４】セーターのハイネック部分のみを切り離して、ヘアバンドと一体化する事で耳当ての役目もする
【考案の効果】
【０００５】請求項１の円筒状のハイネックの場合は、ニットや綿等の素材により、高い安全性が有り、子供から高齢者や要介護者を始め、農水産業等に従事する人々にも優れた用途が見込まれます
請求項２の場合は、ニットはもとより、ファーや合成皮革等、伸縮性の小さい素材でも首回りにて開放容易で、カラーリングや図柄等で高いファッション性を持ったアイテムが実現出来ます
【考案の実施する為の最良の形態】
【０００６】ハイネックバンド本体は首の後ろの部分でハイネック部とヘアバンド部分が一体化して使用するものであり、被り脱ぎする事も着け外しするも可能な物
【実施例】
【０００７】以下  添付図面に従って実施例を説明する
１はニット等適宜素材によるネックバンド
２は１と一体化接合された上げ下げ自由のヘアバンド及び耳当てから成る
３は請求項２についての首後方部分のボタン式の図（首回りでのみの着脱可能の図面）【０００８】本考案のヘアネックバンドは請求項１については当然、頭上から本体のみ被る取るが自由に出来、又、請求項２の場合は後頭部下の首の所のボタンの開閉により、頭部を通過する事無く、着脱が可能である【０００９】本考案の実施例は上述の構成から成るもので有るから、ヘアバンド部とハイネック部は同時に使用するのは勿論であるが、ニットやファー等の素材によりヘアバンド部は不使用の場合、胸の前や背中の後に下ろして置く事も出来る
【図面の簡単な説明】
【００１０】
【図１】本考案のハイネックバンド実施例の請求項１の側面図である
【図２】本ハイネックバンドの請求項１の後方からの図である
【図３】本考案請求項２の側面図である
【図４】本考案請求項２の後方からの図である
【符号の説明】
【００１１】１ハイネック部
２ヘアバンド部
３耳当ての役割部
４ハイネックとヘアバンドの接合部
５請求項２のボタン部分
【図１】
0003145569.tif 000003
【図２】
0003145569.tif 000004
【図３】
0003145569.tif 000005
【図４】
0003145569.tif 000006
【手続補正書】
【提出日】平成20年4月7日(2008.4.7)
【手続補正１】
【補正対象書類名】実用新案登録請求の範囲
【補正対象項目名】全文
【補正方法】変更
【補正の内容】
【実用新案登録請求の範囲】
【請求項１】
ハイネックの襟とヘアバンドを一体化し、ハイネックを一体化し、ハイネック、耳あて、ヘアバンドの三役を総合一体化させた物
【請求項２】
請求項１に記載された物において、首の後方（後頭部下）や真後ろに、複数個のボタン等を付けて、ハイネックの襟とヘアバンドとを取り外しを可能としたことを特徴とする、請求項１に記載された物。
(57)【要約】      （修正有）【課題】初心者の人でも簡単に、面白く魚釣りが出来る太刀魚の新テンヤの仕掛けを提供する。【解決手段】従来の太刀魚の波止テンヤの仕掛け部分に、三又針を接合したことを特徴とする太刀魚の新テンヤの仕掛けである。三又針を後方に付ける事によって口元からはずれる事がなく、また口元以外の所でも引っ掛かって初心者の人でも簡単に面白く魚釣りができ、かなりの成果が出る。【選択図】図１
0003145567.tif 000002
【実用新案登録請求の範囲】
【考案の詳細な説明】
魚釣り具の仕掛けの内容について、新案を出します。
太刀魚の波止テンヤの仕掛けについて、
現状の仕掛けは、
このようになっていて、太刀魚がよく口元から外れてまったく成果が出にくく、初めての人では、かなり難しいものと思われます。
そこで、私の今回新案といたしましてこのようになります。
従来の仕掛けに、みつまた針を接合すれば太刀魚が口元から外れることなく、また口元以外の場所でも引っかかって初めての人でも簡単に太刀魚釣りがおもしろくなり確実にかなりの成果が出ます。
平成１９年度実証済みです。
【図１】
0003145567.tif 000003
【図２】
0003145567.tif 000004
【手続補正書】
【提出日】平成20年4月11日(2008.4.11)
【手続補正１】
【補正対象書類名】実用新案登録請求の範囲
【補正対象項目名】全文
【補正方法】変更
【補正の内容】
【実用新案登録請求の範囲】
【請求項１】
魚釣り具の仕掛けの内容について、太刀魚の波止テンヤの仕掛けに、三又針を接合する。
【手続補正２】
【補正対象書類名】明細書
【補正対象項目名】全文
【補正方法】変更
【補正の内容】
【考案の詳細な説明】
【技術分野】
【０００１】初心者の人でも簡単に、面白く魚釣りが出来る為の仕掛け。
【背景技術】
【０００２】餌の真下側に針が付いている。
【考案の開示】
【考案が解しょうとする課題】
【０００３】現状の仕掛けは、口元からよく外れて、あたりが合わせ難い点がある。
【課題を解決するための手段】
【０００４】三又針を接合する。
【考案の効果】
【０００５】釣り上げ時と噛みはずした時が、動きと角度により、ほとんど口元からはずれてしまう。この三又針を後方に付ける事に寄って成果の確実性ができ、簡単に初心者の人でも釣ることが出来る。
【考案を実施するための最良の形態】
【０００６】市販している三又針を接合すれば完成である。
【実地例】
【産業上の利用可能性】
【図面の簡単な説明】
【図１】太刀魚の新テンヤ仕掛けを示した正面図である
【図２】太刀魚の新テンヤ仕掛けを示した後方見図である。
【手続補正３】
【補正対象書類名】図面
【補正対象項目名】全図
【補正方法】変更
【補正の内容】
【図１】
0003145567.tif 000005
【図２】
0003145567.tif 000006
【手続補正書】
【提出日】平成20年6月30日(2008.6.30)
【手続補正１】
【補正対象書類名】実用新案登録請求の範囲
【補正対象項目名】全文
【補正方法】変更
【補正の内容】
【実用新案登録請求の範囲】
【請求項１】
従来の太刀魚の波止テンヤの仕掛け部分に、三又針を接合したことを特徴とする太刀魚の新テンヤの仕掛け。
(57)【要約】      （修正有）【課題】火力・風力・水力・原子力・太陽光発電のいずれの方法にもよらずに発電することができる発電機械を提供する。【解決手段】コンセントにプラグを差し込むとモーターが回転し、ギアの回転と同時にローラーが上下し、接合部により磁石を連動させる。コイルに磁石を入れると発電する仕組みを利用して、発電した電気をコンセントを通りプラグに送る。それによりモーターは回転し発電可能となる。【選択図】図６
0003145563.tif 000002
【実用新案登録請求の範囲】
【請求項１】
可能な限り違和感なくより自然に近い状態で  効率良く電気を作る  全くの無公害  力
も必要ない
【考案の詳細な説明】
【技術分野】
【０００１】
作業を楽にする理論を提供するものである
【背景技術】
【０００２】
従来はいろんな苦労があった  燃料が必要だったり  それに手で回したり風の力や水・
太陽発電もたいようがないと発電できない  第一設備が大変
【０００３】
この考案には便利性を利用してる
【考案の開示】
【考案が解決しようとする課題】
【０００４】
いろんな面で手軽になると思う道具を提供する
【０００５】
本考案は自然性の特質を利用してる
【課題を解決するための手段】
【０００６】
この考案には便利性を利用してる
【考案の効果】
【０００７】
今までより便利になる  コイルに磁石を入れると発電する仕組みを利用
【考案を実施するための最良の形態】
【０００８】
実施例について図面を使用して説明すると  １においてまずこの部品を二つ使い  ２の
部品は溝式レールになっており  モがモーター部になってて  そこからつながっており
３ローラーが  ２の溝の中に入って  ギアの回転と同時に上下する  それが  ４の接合部
により  ５磁石を連動させる  この仕組みは  ６返防電磁板コイルで  そのコイルに磁石を入れると発電する仕組みを利用  １３コンセントを通りモーター及びプラグに電気を送る  それによりモーターは回転し結果ずっととまらず発電可能となる  これのメリットは一切全く燃料がいらない  それに手で回したり風の力や水・太陽発電もそれがないと発電できない  第一設備が大変だ  だがこの発電は全然心配要らない  更に強い電力を得るためモーターにも  ７にも  ６と同じ返防電磁板コイルがある  しかも隙間を埋めるため  ８．９予備磁石として  ８  ，９にも  ５磁石からつながる子磁石がある  仮に運動がとまっても  再度動かせるように  １０は蓋になっており  そこを取ると動かせる部分がある  １１に  プラグをさしても簡単には抜けないように突起がある  プラグは  １４プラグ場にさす  すると中に  １３コンセント  に  １２コイル棒  から流れてきた電気が来る
【図面の簡単な説明】
【０００９】
【図１】歯車
【図２】溝つき歯車
【図３】磁石
【図４】コイル
【図５】断面図
【図６】全体図
【図７】プラグ刺し
【符号の説明】
【００１０】
１    歯車      
２    主歯車
３    ローラー
４    接合部
５    磁石
６    返防電磁板コイル
８  ９  子磁石
１０    蓋
１１    突起
１２    コイル棒
１３    コンセント
１４    プラグ場
【図１】
0003145563.tif 000003
【図２】
0003145563.tif 000004
【図３】
0003145563.tif 000005
【図４】
0003145563.tif 000006
【図５】
0003145563.tif 000007
【図６】
0003145563.tif 000008
【図７】
0003145563.tif 000009
【手続補正書】
【提出日】平成20年1月8日(2008.1.8)
【手続補正１】
【補正対象書類名】実用新案登録請求の範囲
【補正対象項目名】全文
【補正方法】変更
【補正の内容】
【実用新案登録請求の範囲】
【請求項１】
１歯車においてまずこの部品を二つ使い、２主歯車の部品は溝式レールになっており、モがモーター部になっててそこからつながっており、３ローラーが、２主歯車の溝の中に入って、ギアの回転と同時に上下し、それが４接合部により、５磁石を連動させ、この仕組みは６返防電磁板コイルで、そのコイルに磁石を入れると発電する仕組みを利用し、１３コンセントを通りモーター及びプラグに電気を送り、それによりモーターは回転し結果ずっととまらず発電可能となり、さらに強い電力を得るためにはモーターにも、７にも６と同じ返防電磁板コイルがあり、かつ隙間を埋めるため、８・９予備磁石として、５磁石からつながる子磁石を付け、仮に運動がとまっても再度動かせるように、１０は蓋になっており、そこを取ると動かせる部分があり、１１突起にプラグをさしても簡単には抜けないようになっており、プラグは１４プラグ場に挿すと、１３コンセントに１２コイル棒から流れてきた電気がくることを特徴とする発電機械。
【手続補正書】
【提出日】平成20年4月4日(2008.4.4)
【手続補正１】
【補正対象書類名】実用新案登録請求の範囲
【補正対象項目名】全文
【補正方法】変更
【補正の内容】
【実用新案登録請求の範囲】
【請求項１】
蓋を取り歯車を回すと別な歯車が回り、それが溝付き大歯車を回し、それにつながるローラー付磁石が動くと、子磁石も一緒に返増電磁板コイルの中で上下し、そのことで電気が発生してその電気がモーターとプラグ差し場へ流れ、モーターに流れた電気はモーターを動かし、その動きが溝付き大歯車を動かす結果、動きが永遠になるためプラグ差し場に電気製品のプラグをコンセント場からいれることで機械を動かせ、当然抜け落ちにくいように突起があり、止まったときは再度蓋を開け歯車を動かすが、歯車を止めないため蓋をしたまま使う発電機械。
【手続補正書】
【提出日】平成20年6月13日(2008.6.13)
【手続補正１】
【補正対象書類名】実用新案登録請求の範囲
【補正対象項目名】全文
【補正方法】変更
【補正の内容】
【実用新案登録請求の範囲】
【請求項１】
蓋と歯車と溝付き大歯車と溝付き大歯車につながるローラー付磁石と子磁石と返増電磁
板コイルとモーターと突起付プラグ差し場とからなる発電機。
(57)【要約】      （修正有）【課題】ポスタや静止画による固定広告に代え、平常時は広告を配信し、地震など非常時には、避難誘導などの情報配信に、瞬時に切り換えることのできる映像配信システムを提供する。【解決手段】メインコンピュータですべてを制御するシステムで、ＤＶＤ等に編集した映像を放映し企業公告が行える。これは従来の企業公告と同じものであるが、大きく違う点は、静止画のみならず動画を配信・表示できることで、まさに、家庭のテレビで見る様なコマーシャルが駅中や空港ロビーで放映できる。もう一つは、非常事態発生時は予めシステムに組み込まれた避難誘導・案内画像に切り替える機能を有し、現行の固定広告板の場所に、平常時は動画も表示可能、尚且つ緊急時には災害の内容や避難経路の緊急告知も可能な、システムとなる。【選択図】図２
0003145570.tif 000002
【実用新案登録請求の範囲】
【請求項１】
公共の場である、（公序良俗違反につき、不掲載）各社、地下鉄各社等の電車を待つホーム、空港ロビーには、従来型の固定広告が張り出され企業公告を行っている。それは公告掲載企業のポスターを契約期間その場を飾るものだが、その既存の固定広告スペースを薄型ディスプレーに切替え、平常時は「広告（動画／静止画）」を配信し、地震・火災・水害などの非常事態発生時は「非常口の案内」「災害の内容」を瞬時に切替え表示できるシステムで、利用者の避難路の案内に役立てる複合的装置に係る考案。構造は、メインコンピュータですべてを制御するシステムで、ＤＶＤ等に編集した映像を放映し企業公告が行える。これは従来の企業公告と同じものであるが、大きく違う点は、静止画のみならず動画を配信・表示できることで、まさに、家庭のテレビで見る様なコマーシャルが駅中や空港ロビーで放映できる。もう一つは、非常事態発生時は予めシステムに組み込まれた避難誘導・案内画像に切り替える機能を有する画期的なアイディア。結果、現行の固定広告板の場所に、平常時は動画も表示可能、尚且つ緊急時には災害の内容や避難経路の緊急告知も可能な、システムとなる。現状でも、緊急時には構内放送で告知はあるが、聴覚障害者に対しては有効性がなく、このシステムの構築では、聴覚障害者等にも明確に情報伝達が可能で人命救助に資する考案である。
【考案の詳細な説明】
【技術分野】
【０００１】放送装置
【背景技術】
【０００２】広告主が指定する映像を、繁華街のビルの壁面にある大型ディスプレーの如くコンピューター制御により集中配信することで、消費者に対する訴求力向上を図ることに加え、緊急事態の告知ツールとして考案。
【考案の開示】
【考案が解決しようとする課題】
【０００３】技術的には、映像のパソコン送信技術。運用的には広告主集客能力。
【課題を解決するための手段】
【０００４】広告の効果と人命尊重への配慮を説明する営業活動で可能
【考案の効果】
【０００５】駅構内や空港ロビーから安全に避難させる為には、「災害の内容」「発生場所」「避難場所（方面）」等の正しい情報をタイムリーに知らせることが必要不可欠。現状の固定広告が避難場所の案内板に瞬時に切替え可能であれば大勢の安全が確保される。
【考案を実施するための最良の形態】
【０００６】本案の最大の効果は、平常時の動画配信もさることながら、非常事態発生の告知と安全な避難誘導システムとして転用が可能な点である。
【実施例】
【０００７】駅構内、空港ロビーに於ける公告板としての利用は動画配信。緊急時には避難誘導板に切り替える。
【図面の簡単な説明】
【０００８】
【図１】添付のイメージ図面の通り、固定された公告板を大型ディスプレーにして、公告板以外に緊急事態発生の際は、避難誘導板に瞬時に切り替るシステム。
【図２】平常時のシステム稼働状態
【図３】緊急事態発生時の稼働状態
【図１】
0003145570.tif 000003
【図２】
0003145570.tif 000004
【図３】
0003145570.tif 000005
【手続補正書】
【提出日】平成20年4月8日(2008.4.8)
【手続補正１】
【補正対象書類名】実用新案登録請求の範囲
【補正対象項目名】全文
【補正方法】変更
【補正の内容】
【実用新案登録請求の範囲】
【請求項１】
公共の場である、鉄道各社・地下鉄各社の電車を待つホームや、空港のロビーには従来型の固定広告が張り出されている。この固定広告スペースを安全管理にも活用しようという考案で、現行の固定公告を、液晶ディスプレーやプラズマディスプレーに切り替えることで平常時は「広告（動画／静止画）」の配信を行い、地震・火災・水害などの非常事態発生時には、「非常口・避難口の案内」「災害の内容」等を瞬時に表示できるシステム
（１）現状でも災害発生の際は、構内放送（音）で避難告知はあるものの聴覚障害のある方には、視覚に訴える方法が人道的観点からも有効なことは明らか
（２）仕組みはメインコンピュータで制御するもので、人が利用する時間帯だけ配信するあくまでも利用者（人）の安全に焦点を当てたシステム
以上からなる駅構内・空港ロビーの集中管理による映像配信システム。
【手続補正書】
【提出日】平成20年7月2日(2008.7.2)
【手続補正１】
【補正対象書類名】実用新案登録請求の範囲
【補正対象項目名】全文
【補正方法】変更
【補正の内容】
【実用新案登録請求の範囲】
【請求項１】
現行の固定公告を、液晶ディスプレーやプラズマディスプレーに切り替えることで平常時は「広告（動画／静止画）」の配信を行い、地震・火災・水害などの非常事態発生時には、「非常口・避難口の案内」「災害の内容」等を瞬時に表示できることを特徴とする、駅構内・空港ロビーの集中管理による映像配信システム。
(57)【要約】      （修正有）【課題】地域住民参加によるシステムで、全国内を１つの発信機でその発信機の持ち主を全ての地域住民が見守り、支援する防犯システムを提供する。【解決手段】１０ｍから数１００ｍ程度届く弱小電波を発信する発信機と、複数の受信機とその受信機から発せられる信号により発信機の位置を特定する装置で構成され、発信機のスイッチを入れた時複数の受信機がその信号を探知しそれをそれぞれが位置を特定する装置に送り、その複数の受信機の位置から発信機の位置を割り出すことを特徴とする国内全域防犯システムである。【選択図】図１
0003145583.tif 000002
【実用新案登録請求の範囲】
【請求項１】
発信機を持つ人（Ａ）は特定の相手（警備会社等Ｂ）と契約を結び同時に受信機を家屋や自動車に設置する。
受信機の設置は契約者だけでなく公共機関やボランティア等の協力者の家屋や自動車にも設置する。（Ａ）が危険に遭遇したときその発信機から発する数１０ｍから数１００ｍ程度の弱い電波は（Ａ）同様に契約している他の契約者の受信機に信号が届く。複数の受信機で受信された信号を各受信者は（Ｂ）に通報する。又、必要に応じて警察に通報する。
（Ｂ）は通報された受信機設置者の各半径から場所を割り出し出動する。必要に応じ警察に通報する。受信機設置者（Ａ）又は協力者が増加すれば１つの発信機を持つことで居住地だけでなく他の場所や他の都道府県にいるときも常にその地域の人々に見守られていることになり、犯罪の防止や抑止力に貢献することが出来る。
又、発信機は移動中だけでなく家屋内にいる時も発信機を押すことによって発信者の危険に遭遇している場所は限定出来る。契約者（Ａ）は発信機を使用しない場合でも住居の防犯システムとして利用することが可能である。
【考案の詳細な説明】
【技術分野】
【０００１】発信機を持つ人が受信機を家屋や自動車に設置することを契約し又、契約者でない協力者や公共機関にも受信機を設置し発信機を持つ人が危険に遭遇した時発信機を押し、地域の受信機を持つ複数の人の助けを求めあらかじめ契約した相手（警備会社等）に連絡してもらい又は警察へ通報する防犯システムである。
【背景技術】
【０００２】近年通り魔や誘拐・殺人・傷害・暴行など様々な凶悪事件が住民の身近な所で起こっている。今までの防犯ブザーや携帯電話の非常通報システムは、ブザーの場合近くに住宅や通行人がいなければ救出・保護する事が出来ず、又携帯電話の通報システムではその危険に遭遇した瞬間や直前に被害者を保護することが出来ない。
【考案の開示】
【考案が解決しようとする課題】
【０００３】本考案は数１０ｍから数１００ｍ程度の弱い電波を発する為、限られた地域の受信機が反応しそれを警備会社等に通報するシステムでる。協力者や自らもこのシステムを利用して地域に見守ってもらっている受信機設置者なので警備会社等に通報する確率が高い。これにより複数の通報者の半径をもとに場所を特定でき、保護・救出が出来る。又、受信機設置者も直接保護・救出を手助けすることも出来るので事件が起きてしまってからではなくその直前に救出・保護することが出来る防犯支援システムである。
【課題を解決するための手段】
【０００４】自動車にも受信機を取り付ければ人通りの少ない場所や住宅の少ない地域も発信機の信号を受信することができる。弱い電波ではあるが地下街等で危険に遭遇した時でも地下の商店に受信機を設置すれば地下街においても防犯システム機能は果たされる。同じ電波数を全国で使用し、一つの受信機を持っていてこのシステムが鼠算式に増やせばどの都道府県にいてもその地域の住民が見守っていてくれることになる画期的な全国防犯支援システムである。
【考案の効果】
【０００５】受信機の設置数を増加させる方法はまず契約者とその親戚・知人・契約する相手（警備会社等）の社員等・ＮＰＯ法人ボランティアの人々・公共機関・公共交通機関・各自治体等、に受信機を増やせば支援する信頼度が高まり安心して生活できる国が実現する。
【実施例】
【０００６】発信機は充電式又は、電池式とし、発信機の形は腕時計型等のすぐに発信スイッチを押しやすい形状や携帯電話も使用し発信機に防犯ブザー機能も持たせる。
誤報防止の為に解除機能も持ち、携帯電話を利用の場合は弱い電波（地域用）と通常の電話やメールで予め設定した契約相手に通報出来、ＧＰＳ機能を付け位置確認を容易にする。受信者と契約している相手は確認の返信をする等、双方向の通信による保護も可能である。又、必要に応じ発信機や受信機は動作記録機能をつける。
【図面の簡単な説明】
【０００７】
【図１】構成図
【図１】
0003145583.tif 000003
【手続補正書】
【提出日】平成20年7月14日(2008.7.14)
【手続補正１】
【補正対象書類名】実用新案登録請求の範囲
【補正対象項目名】全文
【補正方法】変更
【補正の内容】
【実用新案登録請求の範囲】
【請求項１】
数１０ｍから数１００ｍ程度届く弱小電波を発信する発信機と、複数の受信機とその受信機から発せられる信号により発信機の位置を特定する装置で構成され、発信機のスイッチを入れた時複数の受信機がその信号を探知しそれをそれぞれが位置を特定する装置に送り、その複数の受信機の位置から発信機の位置を割り出すことを特徴とする国内全域防犯システム。
(57)【要約】      （修正有）【課題】帽子を洗って乾燥させた際、布地が縮んだり、形が崩れシワができたりすることを防止するとともに、室外でも室内でも、同じ乾燥具で干すことができる吊り下げ式帽子乾燥具及び収納具を提供する。【解決手段】素材にポリウレタンを使い、表面はメッシュ状にした球体３を使用している為、やわらかく、弾力性があり、帽子４をかぶせるとぴったりとはりついて、シワをのばし、帽子４の形を整え、洗濯の際に縮んだ布地ものばして、もとの大きさに戻してくれる。フック１につながっている洗濯バサミ２で球体３をはさみ込んでつかみ、フック１を竿５に引っかけて、吊り下げた状態で干すことにより、室外でも室内でも同じ乾燥具で干すことができる。【選択図】図２
0003145586.tif 000002
【実用新案登録請求の範囲】
【請求項１】
中が空洞で表面がメッシュ状で素材はポリウレタンでつくられた球体を竿などに吊り下げるために、フックと洗濯バサミをつなげたものを利用し、洗濯バサミの先を球体のメッシュ状にはさみ込み、球体をつかみ、フックを竿などに引っかけて使用することを特徴とする吊り下げ式帽子乾燥具及び収納具。
【考案の詳細な説明】
【技術分野】
【０００１】本考案は、メッシュ状の球体に洗濯後の濡れた帽子をかぶせ、竿などに吊り下げることにより、帽子の形を崩さずに早い乾燥とアイロンをかけたようなシワのない状態を可能とし、また、そのままクローゼットのポールなどに引っかけて収納することも可能とした吊り下げ式帽子乾燥具及び収納具に関するものである。
【背景技術】
【０００２】帽子を洗った後、そのまま干すと縮んでしまったり、形が崩れシワができたりする。
従来は、帽子の干し具として、帽子専用干し具および収納具（実用新案出願２００６−１８７１）があった。
【考案の開示】
【考案の解決しようとする課題】
【０００３】帽子専用干し具および収納具（実用新案出願２００６−１８７１）の場合は、洗濯バサミで帽子をとめることによって、帽子に洗濯バサミの跡が残ってしまう点と、室外と室内によって、干し具の形を変えなくてはいけない不便さがあった。
【課題を解決するための手段】
【０００４】本考案は、中が空洞で表面がメッシュ状で素材はポリウレタンでつくられた球体を竿などに吊り下げるために、フックと洗濯バサミをつなげたものを利用し、洗濯バサミの先を球体のメッシュ状にはさみ込み、球体をつかみ、フックを竿などに引っかけて使用することを特徴とするものである。
【考案の効果】
【０００５】上述のように、本考案の吊り下げ式帽子乾燥具及び収納具は、ポリウレタン素材でつくられた球体なので、表面がやわらかく、弾力性があり帽子をかぶせた際、球体と帽子がぴったりと密着し、洗濯バサミでとめなくても、全くはずれない。吊り下げ式なので、室外の竿でも、室内の棒でも、同じ乾燥具の形で乾燥させることができる。また、頭の形と近い球体なので、帽子の形を崩さずに乾燥させることができる。表面がメッシュ状なので乾燥も早い。やわらかく、弾力性のある球体の表面により、帽子の布地がしっかりとひっぱられ伸ばされ、シワがなくなる。球体を真上から洗濯バサミではさむので、帽子のツバの大きさに関係なく、帽子を乾燥させることができる。洗濯バサミからはずして、球体だけの状態で帽子をかぶせるので、帽子をかぶせる位置を気にせず、どの面でもかぶせることができる。吊り下げることにより、帽子の表面に日が直接当たらず、陰干しのような状態になり、色落ちや変色の心配な帽子も干すことができる。
また、乾燥させた後に、帽子をはずさず、そのまま、収納具としてクローゼットのポールやハンガーポールなどに引っかけてしまってもよい。帽子乾燥具がしばらく、不用な際は、やわらかくポリウレタン素材の球体を小さくたたみ、フックなどといっしょに、再び使用するまで保管してもよい。
【実施例】
【０００６】以下、添付図面に従って、実施例を説明する。洗濯後の濡れた状態の帽子４を、洗濯バサミ２からはずした球体３に布地をひっぱるようにしながら、ぴったりとかぶせる。帽子４がかぶさった以外の球体３のメッシュ状の部分に洗濯バサミ２をはさみ込み、球体３をつかむ。
洗濯バサミ２につなげられたフック１を竿５に引っかける。乾燥したら、帽子４を球体からはずす。乾燥した後、帽子４をしばらく使用しない場合は、乾燥具から帽子をはずさず、そのままクローゼットのポールやハンガーポールなどに引っかけて収納具としても使用できる。また、帽子乾燥具がしばらく不用な際は、再び使用するまで、球体を小さくたたんで、フック１などと一緒に保管してもよい。
【図面の簡単な説明】
【０００７】
【図１】吊り下げ式帽子乾燥具及び収納具の全体図である。
【図２】球体に帽子をかぶせ、竿にフックを引っかけて吊り下げた状態である。
【符号の説明】
【０００８】１  フック
２  洗濯バサミ
３  メッシュ状の球体
４  帽子
５  竿
【図１】
0003145586.tif 000003
【図２】
0003145586.tif 000004
(57)【要約】      （修正有）【課題】自動車の運転者に車椅子の存在を知らせ、車椅子の事故を未然に防ぐための電動車椅子・車椅子位置確認システムを提供する。【解決手段】電動車椅子や車椅子に発信機を取り付け、自動車に取り付けた受信機で信号を受け表示灯や警告音で自動車の運転者に知らせる。発信電波は１〜数種類とし、発信は常時又は手動発信として電源の使用時間を考えて間隔をもって発信することも可能である。【選択図】図１
0003145582.tif 000002
【実用新案登録請求の範囲】
【請求項１】
電動車椅子や車椅子に発信機を取り付け受信機の取り付けてある自動車に無線又は赤外線や（超）音波で信号を送り、ある一定の距離以内に両車が近づくとその信号を表示灯や警告音として自動車の運転者に知らせ車椅子の事故を未然に防ぐ為のシステムである。
【考案の詳細な説明】
【技術分野】
【０００１】電動車椅子や車椅子に発信機を取り付け、受信機を取り付けた自動車に無線又は赤外線又は（超）音波で信号を送り、その信号を表示灯又は警告音で運転者に知らせ車椅子の事故を未然に防ぐシステムである。
【背景技術】
【０００２】車椅子は地上高が低く、自動車の後方や前方に車椅子があっても自動車の運転席から確認することが難しく高齢化社会で増加していく車椅子による事故を防ぐ方法はなかった。
【考案の開示】
【考案が解決しようとする課題】
【０００３】本考案は数ｍから１０数ｍ程度到達する弱小電波や赤外線・（超）音波等を使用し信号を発信する。
受信機を取り付けた車は近くに車椅子があれば表示灯や警告音で確認出来、前方・後方に注意して運転することが出来るので事故を未然に防ぐことが可能である。
【課題を解決するための手段】
【０００４】従来はホーンやライト等で自動車の運転手に知らせていたが車椅子の地上高が低く、自動車の荷物や後部座席同乗者により車椅子が発するランプへの視界確保が難しく、自動車の窓が閉っていればホーンも聞こえなかった。
【考案の効果】
【０００５】近年増加する高齢者の方が移動手段として電動車椅子を使用することが多く、車椅子の需要も増えている。
高齢者であり、又車椅子なので大声で注意を呼びかけたり素早い動きで車椅子を移動させることが出来ない。この考案であれば車椅子の使用者は自分からその存在を示さなくても車椅子に乗ってスイッチを入れるか自動的にスイッチが入ることで電波を発信し自動車に存在を知らせるので事故を未然に防ぐことが出来る。
【実施例】
【０００６】電動車椅子は充電電源で動くので使用する時メインスイッチを入れ、車道（道路）に入る時に発信機のスイッチを入れると車椅子から電波信号又は赤外線や（超）音波を発信出来る。
又、電動でない車椅子の場合は電源を使用しないので電池を電源とする発信機を車本体に取り付ける。現在広く使用されている自動車の小さなリモコンキーの様な物で可能なので取り付け場所を限定する必要はない。受信機側の自動車は前方・後方・側方に数個の受信機（受光機）を取り付けその信号を運転席のダッシュボード等に表示灯や警告音で運転者に知らせる。誤動作を防ぐ為に車椅子の発信機は複数の電波を同時に発信させてそれを受信機で受信すれば誤報は防ぐことが出来る。
【図面の簡単な説明】
【０００７】
【図１】構成図
【図１】
0003145582.tif 000003
【手続補正書】
【提出日】平成20年7月14日(2008.7.14)
【手続補正１】
【補正対象書類名】実用新案登録請求の範囲
【補正対象項目名】全文
【補正方法】変更
【補正の内容】
【実用新案登録請求の範囲】
【請求項１】
電動車椅子や車椅子に取り付けた発信機と自動車に取り付けた受信機・警報装置で構成され、発信機を取り付けた車椅子等から自動車に無線又は赤外線や超音波で信号を送り、ある一定の距離以内に両車が近づくと自動車に取り付けてある受信機がその信号を受信し受信機内部の接点を動作させ、自動車内部に配線された電気配線により自動車の表示灯や警報装置を動作させ自動車の運転者に知らせ車椅子の事故を未然に防ぐことを特徴とする電動車椅子・車椅子位置確認システム。
(57)【要約】      （修正有）【課題】壁にくっつくことのないように物を掛けたり、簡単に棚を作る事ができる水平自在バーを提供する。【解決手段】固定板１を壁に釘等で固定するよう４角に穴を開け、上下に吊す事が出来るようにフック６を付ける、アームは四角又は丸方のパイプとし、固定部２に１０センチメートル程度の間隔で数個穴を開ける、移動部のアーム３はスライドが出来るように固定部のパイプの内径より外径がやや小さい径とし、元の方に５センチメートル程度の間隔で２カ所穴を開け長さを調節しピン等で固定できるようにする、又、先端部には上下にチェーン４と、吊す物を掛けるためのフック７を取り付けて、水平自在バーとする。【選択図】図１
0003145584.tif 000002
【実用新案登録請求の範囲】
【請求項１】
固定板を壁に釘等で固定するよう４角に穴を開け、上下に吊す事が出来るようにフックを付ける、アームは四角又は丸方のパイプとし、固定部に１０センチメートル程度の間隔で数個穴を開ける、移動部のアームはスライドが出来るように固定部のパイプの内径より外径がやや小さい径とし、元の方に５センチメートル程度の間隔で２カ所穴を開け長さを調節しピン等で固定出来るようにする、又、先端部には上下にチェーンと吊す物を掛けるためのフックを付ける。
【考案の詳細な説明】
【技術分野】
【０００１】  本考案は、容易に壁等に取り付けが出来、壁に物がふれる事なく掛けられる事と、複数組み合わせる事で、棚を作ったり、四角（六角・八角）に組み会わせて物を吊す事の出来るバー。
【背景技術】
【０００２】  壁に直接物を掛けると、斜めになったり、壁にくっいて双方が汚れてしまう。
【考案が解決しようとする課題】
【０００３】  壁に、くっつくことのないように物を掛けたり、簡単に棚を作る事が出来る。
【課題を解決するための手段】
【０００４】    壁にバーを取り付け、掛ける物の大きさに合わせ、バーの長さを調節し、壁に直接物がくっつく事がなく、物を掛ける事が出来る。又、バーを複数組み合わせ、バーに板を乗せて棚としての利用も出来る。
【考案の効果】
【０００５】  本考案のバーを壁に取り付ける事で、洗濯物等が壁にくっつく事なく吊す事が出来る、又、誰でも簡単に、棚を作る事が出来る。
【考案を実施するための最良の形態】
【０００６】  バーを、壁に固定しバーの長さを、掛ける物のに合わせ水平にセットする、又、同様に複数セットし板を乗せ、棚として利用する（［図１］の６・７の上下を吊し２段以上の棚も可能）、壁を利用しなくても固定板の裏面を張り合わせて（三角以上に組み合わせも可能）つり下げる事で、複数の物を掛ける事や棚を作る事が出来る。
【図面の簡単な説明】
【０００７】
【図１】本考案の、水平自在バーの図面である。
【符号の説明】
【０００８】１は固定板
２はアーム（固定部）
３はアーム〔移動部）
４はチェーン（ワイヤーも可）
５は釘（ビス）穴
６はフック（固定部）２段以上に利用するときにチェーン等で吊す。
７はフック（アーム）
８はピン止め穴（固定アーム部）１０センチメートル程度の間隔で開ける。
９はピン止め穴（移動アーム部）５センチメートル程度の間隔で元の部分に２カ所開ける、これにより５センチメートル単位で伸縮が可能となる。
１０はアームの固定ようピン
１１は止め金具
【図１】
0003145584.tif 000003
【手続補正書】
【提出日】平成20年7月4日(2008.7.4)
【手続補正１】
【補正対象書類名】実用新案登録請求の範囲
【補正対象項目名】全文
【補正方法】変更
【補正の内容】
【実用新案登録請求の範囲】
【請求項１】
固定板を壁に釘等で固定するよう４角に穴を開け、上下に吊す事が出来るようにフックを付ける、アームは四角又は丸方のパイプとし、固定部に１０センチメートル程度の間隔で数個穴を開ける、移動部のアームはスライドが出来るように固定部のパイプの内径より外径がやや小さい径とし、元の方に５センチメートル程度の間隔で２カ所穴を開け長さを調節しピン等で固定できるようにする、又、先端部には上下にチェーンと、吊す物を掛けるためのフックを取り付けた水平自在バー。
(57)【要約】      （修正有）【課題】ヤドカリは巻貝を背負っているという固定概念に一切拘ることなく、もっと自由な発想で、造形物の対象となる加工貝殻を提供する。【解決手段】自然の巻貝の貝殻を削ったり、パテや粘土状の物を用いて多種多様な形状に加工した貝殻を背負わすことで、自然界でのヤドカリの生息形態である自然の巻貝を背負ったヤドカリという従来の常識を覆すことで、より楽しく飼育ができるようになる。【選択図】図３
0003145581.tif 000002
【実用新案登録請求の範囲】
【請求項１】
自然の巻貝を削ったり、パテや粘土状の物を用いて形状を変えたヤドカリの飼育の為の貝殻。
【考案の詳細な説明】
【技術分野】
【０００１】本考案は、ヤドカリの背負っている貝殻に関するものである。【０００２】本考案は、自然の巻貝を削ったり、自然の巻貝をパテや粘土状の物を用いて形状を変えた貝殻を、ヤドカリの飼育の際の従来の巻貝の代替品として使用するものである。
【背景技術】
【０００３】ヤドカリは自然界の巻貝を背負うという形で生息し、そのままの状態で飼育を楽しむものである。
【考案の開示】
【考案が解決しようとする課題】
【０００４】ヤドカリは自然の貝殻を背負っているという固定概念に一切拘ることなく、もっと自由な発想で、造形物のモチーフを考え、より楽しくヤドカリの飼育をするものである。
【課題を解決するための手段】
【０００５】自然の巻貝を削ったり、自然の巻貝をパテや粘土状の物を用いて形状を変える。
【考案の効果】
【０００６】造形物の対象となるモチーフは、自由な発想で選ぶことができるので、例えば、お笑い芸人の顔や多種多様なキャラクターをモチーフとした造形加工貝殻を作ることで、ヤドカリという生物をよりコミカルで魅力的な生物に演出することができる。
【考案を実施するための最良の形態】
【０００７】ヤドカリを楽しく飼育できるように、多種多様なキャラクターをモチーフとした造形加工貝殻を作る。
【実施例】
【０００８】一例として、（公序良俗違反につき、不掲載）をモチーフとした造形加工貝殻にヤドカリを入れて、飼育水槽の中で、（公序良俗違反につき、不掲載）の造形加工貝殻を背負いながら、生活するヤドカリ。
【産業上の利用可能性】
【０００９】チョコエッグ等、その商品の種類の多さからコレクション性が生じたように、本考案も、単なるヤドカリの飼育用品ということだけではなく、コレクターズアイテムとして受け入れられる。【００１０】キャラクターの意匠や、所属タレントの肖像権の商業的利用の新たな形となります。【００１１】販促品や景品等として、例えばビール・清涼飲料水・自動車等をモチーフとした造形加工貝殻や、その造形加工貝殻にヤドカリを入れて配布することで、意外性の高いＣＭ効果を狙える。
【図面の簡単な説明】
【００１２】
【図１】上面図
【図２】底面図
【図３】ヤドカリが入った状態の上面図
【符号の説明】
【００１３】  １  造形加工貝殻  ２  空洞の入口  ３  ヤドカリ
【図１】
0003145581.tif 000003
【図２】
0003145581.tif 000004
【図３】
0003145581.tif 000005
【手続補正書】
【提出日】平成20年7月4日(2008.7.4)
【手続補正１】
【補正対象書類名】実用新案登録請求の範囲
【補正対象項目名】全文
【補正方法】変更
【補正の内容】
【実用新案登録請求の範囲】
【請求項１】
自然の巻貝を削ったり、パテや粘土状の物を用いて、お笑い芸人の顔や多種多様なキャラクターをモチーフとした形状に加工した、ヤドカリの飼育の為の加工貝殻。
【手続補正２】
【補正対象書類名】明細書
【補正対象項目名】全文
【補正方法】変更
【補正の内容】
【考案の詳細な説明】
【技術分野】
【０００１】本考案は、ヤドカリの背負っている貝殻に関するものである。【０００２】本考案は、造形物に巻貝のような螺旋状の空洞を設け、ヤドカリの飼育の際の従来の巻貝の代替品として使用するものである。
【背景技術】
【０００３】ヤドカリは自然界の巻貝を背負うという形で生息し、そのままの状態で飼育を楽しむものである。
【考案の開示】
【考案が解決しようとする課題】
【０００４】ヤドカリは貝殻を背負っているという固定概念に一切拘ることなく、もっと自由な発想で、造形物のモチーフを考え、より楽しくヤドカリの飼育をするものである。
【課題を解決するための手段】
【０００５】造形物に、ヤドカリが好んで生息するように、巻貝のような螺旋状の空洞を設ける。
【考案の効果】
【０００６】造形物の対象となるモチーフは、自由な発想で選ぶことができるので、例えば、お笑い芸人の顔や多種多様なキャラクターをモチーフとした造形人工貝殻を作ることで、ヤドカリという生物をよりコミカルで魅力的な生物に演出することができる。
【考案を実施するための最良の形態】
【０００７】ヤドカリが好んで生息するように、巻貝のような螺旋状の空洞を設けた、多種多様なキャラクターをモチーフとした造形人工貝殻を作る。
【実施例】
【０００８】一例として、カボチャをモチーフとした造形人工貝殻にヤドカリを入れて、飼育水槽の中で、カボチャの造形人工貝殻を背負いながら、生活するヤドカリ。
【産業上の利用可能性】
【０００９】食玩等、その商品の種類の多さからコレクション性が生じたように、本考案も、単なるヤドカリの飼育用品ということだけではなく、コレクターズアイテムとして受け入れられる。【００１０】キャラクターの意匠や、所属タレントの肖像権の商業的利用の新たな形となります。【００１１】販促品や景品等として、例えばビール・清涼飲料水・自動車等をモチーフとした造形人工貝殻や、その造形人工貝殻にヤドカリを入れて配布することで、意外性の高いＣＭ効果を狙える。
【図面の簡単な説明】
【００１２】
【図１】上面図
【図２】底面図
【図３】ヤドカリが入った状態の上面図
【符号の説明】
【００１３】  １  造形人工貝殻  ２  巻貝のような螺旋状の空洞の入口  ３  ヤドカリ
(57)【要約】【課題】ショツプで買い物をした時の紙袋などを持ち帰る時に、手にかかる負担を和らげ簡単に装着でき外れにくく、それを付けていてもおしゃれな印象を与え、店の宣伝効果も期待出来る持ち手を提供する。【解決手段】復元力のある軟質のプラスチック等で、ある程度の厚さがあることにより手の負担を和らげ、広げてはさむだけで巻き付くように形成し、プラスチックに色を加え店の名前・色・柄など入れる事により各店舗固有のおしゃれな物とする。【選択図】図１
0003145590.tif 000002
【実用新案登録請求の範囲】
【請求項１】
紙袋、買い物袋、その他の袋の持ち手部分に、広げてはさむだけで巻き付くようにしたことを特徴とする持ち手補助具
【考案の詳細な説明】
【技術分野】
【０００１】本考案は袋の持ち手部分に取り付ける持ち手補助具の材質と形状に関する。
【背景技術】
【０００２】従来の持ち手部分に切れ目があるものは切れ目が下に来ると外れる可能性があった。巻きつけてマジックテープ等で取り付けるものは取り付ける手間があった。
【考案の開示】
【考案が解決しようとする課題】
【０００３】本考案はどの位置で持っても外れることがなく、取り付けに手間がかからず、またショップなどで使用できるおしゃれな物を提供することを課題とする。
【課題を解決するための手段】
【０００４】手の負担を和らげる軟質の素材（塩化ビニル等）で、広げてはさむだけで持ち手部分に巻き付く形状を特徴とし、店の名前・色・柄などを入れ各店固有のおしゃれな物とする。
【考案の効果】
【０００５】取り付けも簡単で巻きつくのではずれる事がなく、商品を入れた袋を渡す時に各店固有の色・柄・名前を入れた持ち手をつけて渡せば宣伝効果もあり、お客様の手の負担も和らげる事が出来る。、
【考案を実施するための最良の形態】
【０００６】四本の指がしつかりと掛かる長さとし、適度の柔軟性と厚さがあり手になじむ形とする。
【図面の簡単な説明】
【０００７】
【図１】本持ち手を紙袋の持ち手部分に装着した状態の図である。
【図１】
0003145590.tif 000003
【手続補正書】
【提出日】平成20年7月13日(2008.7.13)
【手続補正１】
【補正対象書類名】実用新案登録請求の範囲
【補正対象項目名】全文
【補正方法】変更
【補正の内容】
【実用新案登録請求の範囲】
【請求項１】
復元力のある材質で、広げると手の平の幅位の板状になる形のものを一部が重なるように円筒状に巻付いた状態で形成し、紙袋、買い物袋、その他の持ち手部分に広げてはさむだけで、巻き付くようにしたことを特徴とする持ち手補助具。
【手続補正２】
【補正対象書類名】明細書
【補正対象項目名】０００２
【補正方法】変更
【補正の内容】
【０００２】従来の持ち手部分に切れ目があるものは切れ目が下に来ると外れる可能性があった。巻きつけてマジックテープ（登録商標）等で取り付けるものは取り付ける手間があった。
(57)【要約】【課題】各種電気機器に電源を供給するコンセントにおいて、過負荷電流を検出して警告する。【解決手段】各種電気機器に電源を供給するコンセント本体１０において、電流のアンペア数値を検出する検出回路２１および警告デバイス２２からなる保護装置２０を備える。保護装置２０は、検出する検出回路２１により過大な負荷電流を検出するとアラーム、ライト、数値表示なからなる警告デバイス２２により、警告を発してユーザーに注意を促す。【選択図】図２
0003145521.tif 000002
【実用新案登録請求の範囲】
【請求項１】
プラグを挿入して電気製品の作動に必要な電源を供給するコンセント本体と、
電流のアンペア数値を検出する検出回路、および警告デバイスからなる保護装置とからなり、前記警告デバイスは検出回路が予め設定された以上の過大な負荷電流を検出するとその検出信号により、警告作用を有するアラーム、ライト、数値表示などにより警告するようにしたことを特徴とする過負荷警告コンセント。
【請求項２】
前記保護装置の前記警告デバイスは、アラーム警報機であることを特徴とする請求項１に記載の過負荷警告コンセント。
【請求項３】
前記保護装置の前記警告デバイスは、ＬＥＤ灯であることを特徴とする請求項１に記載の過負荷警告コンセント。
【請求項４】
前記保護装置の前記警告デバイスは、アンペア数値表示機であることを特徴とする請求項１に記載の過負荷警告コンセント。
【考案の詳細な説明】
【技術分野】
【０００１】
本考案は、過負荷警告コンセントに関し、特に、負荷電流をユーザに警告し、注意を促す過負荷警告コンセントに関する。
【背景技術】
【０００２】
延長専用コンセント、３相極付コンセント、埋込形コンセントなどのコンセントは、複数のプラグ孔を設け、各種電気製品のプラグを挿入させ、電源を供給する。この種のコンセントは、電源を供給するのが目的であって、コンセントの負荷電流値に関わらず、電源を供給するので、過電流状態になることが多く、電線走火により火災が発生する惧れがあった。
【０００３】
そのため、コンセント内に、熱膨張率の異なる２つの金属片からなる導電片ユニットを電源供給する一方の端部に接続させるものが現れた。導電片ユニットが熱せられる（過電流状態になる）と、２つの金属片は、熱膨張率の違いから変形分離し、コンセントの供給する電源に対して、遮断を行ない、過負荷から守るという効果を有するに至った。
【０００４】
しかし、上記の安全設計は、多くの発明や商品に設けられることが多かったが、安全面において、欠点があった。つまり、過電流状態において、導電片ユニットの２つの金属片が遮断を行なった後、冷却して元の状態に戻り、再び電流を導電させて電源を供給し始めるということが起きてしまった。過電流状態の原因が解決されないまま、導電片ユニットの遮断および電源供給が繰り返されると、電気製品に損傷が起きる惧れがあった。また、ユーザが気付かぬうちに、過電流状態になり、そのままコンセントを使用し続けたり、他の電気製品を使用し始めたりすると、過電流状態がさらに悪化し、終いには火災事故を起こしてしまうことがあった。本考案は、以上の欠点を改善する過負荷警告コンセントを提供する。
【特許文献１】特開２０００−２９９１６５号公報
【特許文献２】特開平９−１０７６２５号公報
【考案の開示】
【考案が解決しようとする課題】
【０００５】
本考案の目的は、ユーザに負荷電流を警告して認識させる過負荷警告コンセントを提供することにある。
【０００６】
上述の目的を達成するため、本考案は、過負荷警告コンセントを提供する。本考案の過負荷警告コンセントは、コンセント本体および保護装置を備える。コンセント本体は、プラグを挿入して電気製品の作動に必要な電源を供給する。保護装置は、電流のアンペア数値を検出する検出回路、および警告デバイスを含む。警告デバイスは、検出回路が発信する信号を受信し、警告作用を有するアラーム、ライト、数値表示などに転換する。
【考案の効果】
【０００７】
本考案の過負荷警告コンセントは、警告作用を有するアラーム、ライト、数値表示などを設けた保護装置を備えるため、過電流状態になった場合、迅速にユーザに危険を認識させ、電線走火により火災事故を防止することができる。
【考案を実施するための最良の形態】
【０００８】
以下、本考案の実施形態を図面に基づいて説明する。図１は、本考案の一実施形態による過負荷警告コンセントを示す斜視図である。図２は、本考案の一実施形態による過負荷警告コンセントを示す図である。図１および図２に示すように、本考案の一実施形態による過負荷警告コンセントは、コンセント本体１０および保護装置２０からなる。コンセント本体１０は、延長専用コンセント、３相極付コンセント、埋込形コンセントなどのコンセントで、プラグを挿入させて電気製品の作動に必要な電源を供給する。
【０００９】
保護装置２０は、電流のアンペア数値を検出することができる検出回路２１、および警告デバイス２２からなる。警告デバイス２２は、検出回路２１が発信する信号を受信し、警告作用を有するアラーム、ライト、数値表示などに転換する。警告デバイス２２は、アラーム警報機、ＬＥＤなどの灯具、アンペア数値表示機（アナログ型またはデジタル型）である。
【００１０】
上記の構造により、コンセント本体１０がプラグを挿入して電気製品の作動に必要な電源を供給する以外に、保護装置２０は、コンセント本体１０に出力された電流量に対して検出を行ない、出力された電流量が検出回路２１の安全設定値を越える過電流状態になった場合、検出回路２１が警告デバイス２２に信号を発信して、警告デバイス２２がアラーム、ライト、数値表示またはそれらの組合せにより、ユーザに過電流状態を認識させ、安全を確保する。
【００１１】
図１に示すコンセント本体１０は、延長専用コンセントであるが、それ以外に、３相極付コンセント、埋込形コンセントなどの形態であっても、同様に安全性が確保される。
【００１２】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【図面の簡単な説明】
【００１３】
【図１】本考案の一実施形態による過負荷警告コンセントを示す斜視図である。
【図２】本考案の一実施形態による過負荷警告コンセントを示す図である。
【符号の説明】
【００１４】
１０  コンセント本体
２０  保護装置
２１  検出回路
２２  警告デバイス
【図１】
0003145521.tif 000003
【図２】
0003145521.tif 000004